(57)【要約】【課題】偏光板本体及びその支持部材からなる偏光板の放熱性をさらに改善する構造を提供し、さらに、その放熱性が改善された偏光板を実装したプロジェクタを提供すること。【解決手段】光の偏光方向を調整する偏光板本体１０が中央部が開口された枠体２０、又は中央部が開口された１対の枠体２０，３０の周囲に張力を与えられながら固定され、偏光板本体１０の偏光領域１２が開放されていることを特徴とする偏光板。この場合、偏光板本体１０はその周囲が、中央部が開口された板バネ４０、粘着剤又は接着剤により枠体２０に固定されている。【選択図】        図２
2004198583.tif 000002
【特許請求の範囲】
【請求項１】
光の偏光方向を調整する偏光板本体が中央部が開口された枠体の周囲に張力を与えられながら固定され、該偏光板本体の偏光領域が開放されていることを特徴とする偏光板。
【請求項２】
前記偏光板本体の周囲が中央部が開口された板バネにより前記枠体に固定されていることを特徴とする請求項１記載の偏光板。
【請求項３】
前記偏光板本体の周囲が粘着剤又は接着剤により前記枠体に固定されていることを特徴とする請求項１記載の偏光板。
【請求項４】
前記枠体が１対の枠体からなり、該１対の枠体により前記偏光板本体が挟持されていることを特徴とする請求項１乃至３のいずれかに記載の偏光板。
【請求項５】
前記１対の枠体が該枠体同士のかみ合いにより固定されていることを特徴とする請求項４記載の偏光板。
【請求項６】
前記１対の枠体がネジにより固定されていることを特徴とする請求項４記載の偏光板。
【請求項７】
前記１対の枠体が溶着により固定されていることを特徴とする請求項４記載の偏光板。
【請求項８】
照明光学系と、該照明光学系によって照射された光束を複数の色光束に分離する色光分離光学系と、該色光分離光学系で分離された各色光束を変調して画像を生成する電気光学装置と、その変調した各色の光束を合成する色光合成プリズムと、その合成光を投写する投写レンズとを備えたプロジェクタにおいて、
前記電気光学装置の入射側又は／及び出射側に前記請求項のいずれか１項に記載の偏光板が配置されてなることを特徴とするプロジェクタ。
【発明の詳細な説明】
【０００１】
【発明の属する技術分野】
本発明は、光学素子である偏光板及びそれを用いたプロジェクタに関する。
【０００２】
【従来の技術】
プロジェクタなどの光学機器に用いられる偏光板は、通常、偏光層としての染料層を両側から樹脂層で挟んだ積層構造からなっている。そして、偏光板は、偏光の際、不要偏光成分を吸収しその不要偏光成分が熱に変換されるため、偏光板自身の偏光特性の劣化や、偏光板周辺の素子に対して熱伝導が生じてそれらの素子の特性を劣化させることもある。従って、上記のような偏光板をプロジェクタなどに取り付ける際には、偏光板の両面又は片面にガラス基板を貼り付けて用い、偏光板で吸収された熱をガラス基板に放出して放熱することが行われている（例えば、特許文献１参照）。
【０００３】
【特許文献１】
特開２０００−１１２０２２号公報（請求項１〜４、図３）
【０００４】
【発明が解決しようとする課題】
しかしながら、従来は偏光板の全面に接着剤や粘着剤を塗布して偏光板とガラス基板とを貼り付けていたため、偏光板からガラス基板への放熱の際、それらの間に粘着剤や接着剤（以下粘着剤等という）による熱抵抗が介在し、放熱性を低下させる原因となっていた。
本発明は上記課題に鑑みてなされたもの、偏光板本体及びその支持部材からなる偏光板の放熱性をさらに改善する構造を提供し、さらに、その放熱性が改善された偏光板を実装したプロジェクタを提供することを目的とする。
【０００５】
【課題を解決するための手段】
本発明の偏光板は、光の偏光方向を調整する偏光板本体が中央部が開口された枠体の周囲に張力を与えられながら固定され、該偏光板本体の偏光領域が開放されていることを特徴とする。このようにすることで、偏光板本体の偏光領域には粘着剤等を塗布することが不要となるため、その部分の粘着剤等による熱抵抗がなくなって放熱性が向上する。また、偏光板本体の偏光領域の両面に直接空気が当たるので、熱抵抗が低減されて放熱性が上がる。また、偏光板本体の全面をガラス基板に貼り付けた従来の偏光板に比べて、偏光板本体の取り外しが容易である。さらに、偏光板本体は中央部が開口された枠体の周囲に張力を与えられながら固定されているため、偏光板本体の偏光軸の位置ずれが抑制される。
【０００６】
上記偏光板において、前記偏光板本体の周囲が中央部が開口された板バネ、粘着剤又は接着剤により前記枠体に固定されていることを特徴とする。これらにより、偏光板本体の偏光領域を開放することが可能となる。
【０００７】
また、上記偏光板において、前記枠体が１対の枠体からなり、該１対の枠体により前記偏光板本体が挟持されていることを特徴とする。なおこの場合、１対の枠体は該枠体同士のかみ合いにより、ネジにより、又は溶着により固定することができる。このように、偏光板本体が枠体で挟持されていることで、偏光板本体が安定保持されるためその位置ずれや変形が抑制できる。
【０００８】
本発明のプロジェクタは、照明光学系と、該照明光学系によって照射された光束を複数の色光束に分離する色光分離光学系と、該色光分離光学系で分離された各色光束を変調して画像を生成する電気光学装置と、その変調した各色の光束を合成する色光合成プリズムと、その合成光を投写する投写レンズとを備えたプロジェクタにおいて、前記電気光学装置の入射側又は／及び出射側に上記のいずれかに記載の偏光板が配置されてなることを特徴とする。これにより、プロジェクタ内の偏光板の放熱性が向上するため、ファンの数を減らす等によりプロジェクタの小型化が図れ、また画素品質の劣化抑制も可能となる。
【０００９】
【発明の実施の形態】
（１）偏光板
以下に、本発明の偏光板の実施形態を詳細に説明する。本発明の偏光板の基本態様は、偏光板本体の偏光領域（光通過領域と同じ）に対応する部分が開口された（又は切り欠かれた）枠体に、偏光板本体の周辺を利用してその偏光板本体を固定するものである。これにより、偏光板本体の光が通過して実際に偏光が行われる偏光領域のほぼ全てを開放状態としたものである。なお、偏光板本体は、例えば、ＰＶＡ（ポリビニルアルコ−ル）樹脂に染料が塗られた偏光層と、その偏光層を両側から保持するＴＡＣ（トリアセチルセルロース）樹脂層からなる薄いシート状のものである。また、枠体は、通常、可撓性を有する金属又は樹脂からなる。次に、そのような偏光板の実施例を示す。
【００１０】
実施例１
図１は本発明の実施例１に係る偏光板の分解構成図、図２は図１の偏光板の組み付け説明図である。この偏光板は、偏光板本体１０、偏光板本体１０を挟持する１対の枠体２０，３０、該枠体２０，３０内にあって偏光板本体１０を枠体２０，３０のいずれかに固定する板バネ４０を備える。枠体２０，３０及び板バネ４０は、光通過範囲である偏光板本体１０の偏光領域１２に対応するそれぞれの中央部分が開口した矩形状をなしている。なお、各部材の開口部を符号２１，３１，４１でそれぞれ示す。また、枠体２０の各辺部には枠体３０の縁部にかみ合うフック２２Ａを備えた突き当て２２がそれぞれ立設され、一方、枠体３０の各辺部には上記突き当て２２が入る切り欠き３２がそれぞれ形成されている。また、偏光板本体１０には偏光軸調整用の穴１３が設けられている。そして、枠体３０及び板バネ４０にも偏光軸調整用の穴１３に対応した穴３３，４３が設けられ、一方、枠体２０には各穴１３，３３，４３を受け入れる偏光軸調整用のダボ２３が設けられている。
【００１１】
上記各部材の組み付けは、例えば図２に示すようにして行われる。すなわち、枠体２０の偏光軸調整用ダボ２３に偏光板本体１０、板バネ４０の各調整穴１３，４３を一致させながら、枠体２０に偏光板本体１０及び板バネ４０を、偏光板本体１０、板バネ４０の順で取り付ける。続いて、板バネ４０の上側に枠体３０を載せ偏光板本体１０及び板バネ４０を枠体２０に固定する。その際、枠体２０の偏光軸調整用ダボ２３に枠体３０の穴３３を一致させるとともに、板バネ４０の弾性力を利用して偏光板本体１０の周囲に張力を与えながら、枠体２０の突き当て２２を枠体３０の切り欠き３２に位置させ、最後に、上下左右辺の突き当て２２のフック２２Ａをその可撓性を利用して枠体３０の対応する切り欠き３２縁部にかみ合わせ、１対の枠体２０，３０並びにこれら枠体間の部材を固定する。なお、このようにして組上がった偏光板が、図２の最下段に示されている。
【００１２】
実施例２
図３は実施例１の偏光板の変形品であり、枠体２０と枠体３０との固定をフックではなくて、ネジを用いて行うようにしたものである。すなわち、この偏光板は、枠体２０の突き当て２２にフック等の固定手段はなく、代わりに、枠体２０，３０の対応する四隅にネジ穴を切っておき、それらのネジ穴にネジ５０をねじ込んで枠体２０と枠体３０とをネジ固定するようにしたものである。従って、その他の点では図１及び図２の偏光板の構成と同じである。ただし、ここでは偏光板本体１０や板バネ４０の四隅にもネジが通る穴を予め形成しておくものとする。
【００１３】
この偏光板の組み付けも、最後のネジ固定以外は図２に示したものと同様に行うことができる。すなわち、枠体２０の偏光軸調整用ダボ２３に偏光板本体１０、板バネ４０の各調整穴１３，４３を一致させながら、枠体２０に偏光板本体１０及び板バネ４０を、偏光板本体１０、板バネ４０の順で取り付ける。続いて、板バネ４０の上側に枠体３０を載せ偏光板本体１０及び板バネ４０を枠体２０に固定する。その際、枠体２０の偏光軸調整用ダボ２３に枠体３０の調整穴３３を一致させるとともに、板バネ４０の弾性力を利用して偏光板本体１０の周囲に張力を与えながら、枠体２０，３０の四隅のネジ穴にネジ５０をねじ込んで枠体２０と枠体３０並びにこれらの枠体間の部材を固定する。このようにして組上がった偏光板を、枠体２０と枠体３０のそれぞれの面から見た場合の状態図が、図３の（ａ）、（ｂ）である。
【００１４】
実施例３
図４は本発明の実施例３に係る偏光板の組み付け説明図である。この偏光板は、偏光板本体１０、偏光板本体１０を挟持する１対の枠体２０，３０、該枠体２０，３０内にあって偏光板本体１０を枠体２０，３０のいずれかに固定する板バネ４０を備える。枠体２０，３０及び板バネ４０は、光の通過範囲である偏光板本体１０の偏光領域に対応するそれぞれの中央部分が開口した矩形状をなしている。なお、各部材の開口部を符号２１，３１，４１でそれぞれ示す。また、枠体２０の左右辺部には枠体３０の左右縁部にかみ合うフック２２Ａを備えた突き当て２２がそれぞれ立設され、一方、枠体３０の左右辺部には上記突き当て２２が入る切り欠き３２がそれぞれ形成されている。
【００１５】
実施例３における各部材の組み付けは、例えば次のように行われる。まず、枠体２０の左右にある突き当て２２間に帯状の偏光板本体１０を配置する。続いて、偏光板本体１０上に板バネ４０を置くとともに偏光板本体１０の長手方向に張力を与えながら、板バネ４０の上に枠体３０を配置する。その際、板バネ４０の弾性力を利用して枠体２０上の偏光板本体１０の周囲に張力を与えながら、枠体２０の突き当て２２を枠体３０の切り欠き３２に位置させ、左右の突き当て２２のフック２２Ａをその可撓性を利用して枠体３０の切り欠き３２縁部にかみ合わせ、１対の枠体２０，３０並びにそれら枠体間の部材を固定する。そして最後に、帯状の偏光板本体１０の枠体よりはみ出した分を切断すると、図４の下段に示されているような偏光板が完成する。このようにすると、偏光板本体１０に対して確実に張力が付与されて、偏光板本体１０の偏光軸の位置ズレ抑制効果がより向上する。
【００１６】
実施例４
図５は本発明の実施例４に係る偏光板の組み付け説明図である。この偏光板は、偏光板本体１０、偏光板本体１０を挟持する１対の枠体２０、３０、該枠体２０，３０内にあって偏光板本体１０を枠体２０，３０のいずれかに固定する板バネ４０を備える。枠体２０，３０及び板バネ４０は、光の通過領域である偏光板本体１０の偏光領域に対応するそれぞれの中央部分が開口した矩形状をなしている。なお、各部材の開口部を符号２１，３１，４１でそれぞれ示す。また、枠体２０の左右辺部には枠体３０の左右縁部にかみ合うフック２２Ａを備えた突き当て２２がそれぞれ立設され、一方、枠体３０の左右辺部には上記突き当て２２が入る切り欠き３２がそれぞれ形成されている。さらに、枠体３０の上下辺部には、枠体２０の上下縁部が嵌る折り曲げ辺３４が設けられている。
【００１７】
実施例４における各部材の組み付けは、例えば次のように行われる。まず、枠体２０の左右突き当て２２間に帯状の偏光板本体１０を配置する。続いて、偏光板本体１０上に板バネ４０を置くとともに偏光板本体１０の長手方向に張力を与えながら、板バネ４０の上に枠体３０を配置する。その際、板バネ４０の弾性力を利用して枠体２０上の偏光板本体１０の周囲に張力を与えながら、枠体２０の左右突き当て２２を枠体３０の切り欠き３２に位置させ、左右の突き当て２２のフック２２Ａをその可撓性を利用して枠体３０の切り欠き３２縁部にかみ合わせ、１対の枠体２０，３０並びにそれら枠体間の部材を固定する。なお、偏光板本体１０に対する長手方向の張力は、枠体２０の上下縁部と枠体３０の折り曲げ辺３４との嵌合を利用して付与することができる。このようにして、組み上がった偏光板を枠体３０側から見たものを図５の中段に、枠体２０側から見たものを図５の最下段にそれぞれ示した。なお、帯状の偏光板本体１０の枠体２０，３０よりはみ出した分は最後に切断されて除かれる。
【００１８】
実施例１〜４に示した偏光板によれば、偏光板本体１０の実際の利用に供される偏光領域が解放状態となるため粘着剤等が不要となり、従来その部分にあった粘着剤等による熱抵抗がなくなって放熱性が上がる。また、偏光板本体１０の偏光領域の両面に直接空気が当たるため、熱抵抗が低減されて放熱性が上がる。また、偏光板本体１０の全面をガラス基板に貼り付けた従来の偏光板に比べて、偏光板本体１０の取り外しが容易である。さらに、偏光板本体１０が枠体に張力を与えられながら固定されているため、偏光軸の位置ずれも起こり難い。
【００１９】
なお、上記実施例１〜４の偏光板はあくまでも例示であり、本発明の基本形態の範囲内において種々の変更が可能である。例えば、以下のような構成も可能である。
・枠体２０，３０や板バネ４０の形状は、必ずしも４辺を有した矩形である必要はなく、偏光板本体１０の周辺を支持して偏光板本体１０を保持でき、かつ偏光板本体１０の偏光領域となる光入射面及び光出射面が開放される形状となるものを適宜利用してよい。
・偏光板本体１０と枠体２０とは、板バネ４０に代えて又は板バネ４０とともに、粘着剤又は接着剤で固定することができる。このようにしても、粘着剤又は接着剤が介在する面積は従来の全面固着の場合に比べてかなり減少しており、放熱性の改善はかなり期待できる。ただし、板バネ４０を省略する場合には、板バネ４０を利用して偏光板本体１０に付与していた引張力を別の手段で付与しながら、偏光板の組み付けを行う必要がある。
・また、偏光板本体１０の光入射面及び光出射面には、光の有効利用を図る点から反射防止膜を被膜してもよい。
・枠体２０と枠体３０とは、上記のフックやネジによる固定の他に、熱や超音波を利用した溶着固定としてもよい。
・偏光板本体１０が板バネ４０で枠体２０に固定されている場合には、枠体３０を用いないで偏光板本体１０の片面だけに枠体がある構成としてもよい。
【００２０】
（２）プロジェクタ
次に、本発明のプロジェクタの実施形態を説明する。図６は、本発明の実施形態に係るプロジェクタの光学系全体を平面的に見た概略構成図である。このプロジェクタは、照明光学系１００と、ダイクロイックミラー２１０，２１２と、反射ミラー２２０，２２２，２２４と、入射側レンズ２３０と、リレーレンズ２３２と、３枚のフィールドレンズ２４０，２４２，２４４と、３枚の液晶パネル２５０，２５２，２５４と、各液晶パネルの出射側及び入射側にそれぞれ配置された偏光板２５１，２５３，２５５，２５６，２５７，２５８と、クロスダイクロイックプリズム２６０と、投写光学系（投写レンズ）２７０とを備えている。そしてここでは、上記偏光板２５１，２５３，２５５，２５６，２５７，２５８に、前述した実施例１〜４のいずれかの偏光板を採用する。
【００２１】
照明光学系１００は、ほぼ平行な光線束を射出する光源１１０と、第１のレンズアレイ１２０と、第２のレンズアレイ１３０と、偏光変換素子１４０と、反射ミラー１５０と、重畳レンズ１６０とを備えている。第１のレンズアレイ１２０と第２のレンズアレイ１３０とは、３枚の液晶パネル２５０，２５２，２５４をほぼ均一に照明するためのインテグレータ光学系を構成している。
【００２２】
光源１１０は、放射状の光線を射出する放射光源としての光源ランプ１１２と、光源ランプ１１２から射出された放射光をほぼ平行な光線束として射出する凹面鏡１１４とを有している。光源ランプ１１２としては、通常、メタルハライドランプや高圧水銀灯等の高圧放電灯が用いられる。凹面鏡１１４としては、放物面鏡を用いることが好ましい。なお、放物面鏡に代えて、楕円面鏡や球面鏡等も用いることができる。
【００２３】
第１のレンズアレイ１２０は複数の第１の小レンズ１２２で構成されている。第２のレンズアレイ１３０は、複数の第１の小レンズ１２２のそれぞれに対応する複数の第２の小レンズ１３２で構成されている。光源１１０から射出された略平行光な光線束は、第１と第２のレンズアレイ１２０，１３０によって、複数の部分光線束に分割されて偏光変換素子１４０に入射する。偏光変換素子１４０は、非偏光な光を所定の直線偏光光、例えば、ｓ偏光光あるいはｐ偏光光に変換して射出する機能を有している。従って、偏光変換素子１４０に入射した複数の部分光線束は、それぞれ所定の直線偏光光に変換されて射出される。偏光変換素子１４０から射出された複数の部分光線束は、反射ミラー１５０で反射されて重畳レンズ１６０に入射する。重畳レンズ１６０に入射した複数の部分光線束は、重畳レンズ１６０の重畳作用によって、照明領域である液晶パネル２５０，２５２，２５４上でほぼ重畳される。この結果、各液晶パネル２５０，２５２，２５４は、ほぼ均一に照明されることになる。
【００２４】
２枚のダイクロイックミラー２１０，２１２は、照明光学系１００から射出された光を、赤（Ｒ）、緑（Ｇ）、青（Ｂ）の３つの色光に分離する色光分離光学系２１４を構成している。第１のダイクロイックミラー２１０は、照明光学系１００から射出された光の赤色光成分を透過させるとともに、青色光成分と緑色光成分とを反射する。
【００２５】
第１のダイクロイックミラー２１０を透過した赤色光は、反射ミラー２２０で反射され、フィールドレンズ２４０を通って赤光用の液晶パネル２５０に達する。このフィールドレンズ２４０は、通過した各部分光線束が、各部分光線束の主光線（中心軸）に平行な光束となるように集光する機能を有している。他の液晶パネルの前に設けられたフィールドレンズ２４２，２４４も同様に作用する。
【００２６】
第１のダイクロイックミラー２１０で反射された青色光と緑色光のうちで、緑色光は第２のダイクロイックミラー２１２によって反射され、フィールドレンズ２４２を通って緑光用の液晶パネル２５２に達する。一方、青色光は、第２のダイクロイックミラー２１２を透過し、入射側レンズ２３０と、リレーレンズ２３２および反射ミラー２２２，２２４を備えたリレーレンズ系を通過する。リレーレンズ系を通過した青色光は、さらにフィールドレンズ２４４を通って青色光用の液晶パネル２５４に達する。
【００２７】
なお、青色光にリレーレンズ系が用いられているのは、青色光の光路の長さが他の色光の光路の長さよりも長いために発生する光の利用効率の低下を防止するためである。すなわち、入射側レンズ２３０に入射した青色光をそのまま、射出側レンズ（フィールドレンズ）２４４に伝えるためである。
【００２８】
電気光学装置である３枚の液晶パネル２５０，２５２，２５４は、それぞれに入射する各色光を、与えられた画像信号に応じて画像を形成するための光に変換して射出する光変調装置としての機能を有する。なお、この液晶パネル２５０，２５２，２５４の光入射側には偏光板２５６，２５７，２５８が有り、また、液晶パネル２５０，２５２，２５４の光出射側には偏光板２５１，２５３，２５５がそれぞれ設けられていて、それにより各色光の偏光方向が調整されている。
【００２９】
クロスダイクロイックプリズム２６０は、３枚の液晶パネル２５０，２５２，２５４から射出された３色の色光を合成する色光合成光学系としての機能を有する。クロスダイクロイックプリズム２６０には、赤光を反射する誘電体多層膜と、青光を反射する誘電体多層膜とが、４つの直角プリズムの界面に略Ｘ字状に形成されている。これらの誘電体多層膜によって３つの色光が合成されて、カラー画像を投写するための合成光が形成される。クロスダイクロイックプリズム２６０で生成された合成光は、投写光学系２７０の方向に射出される。投写光学系２７０は、この合成光を投写スクリーン３００上に投写して、カラー画像を表示する。
【００３０】
次に、上記偏光板２５１，２５３，２５５、２５６，２５７，２５８の取り付け態様について説明しておく。図７はこれら偏光板の取り付け態様の一例を示す液晶パネル付近の斜視図、図８は図７における偏光板の位置関係を示す液晶パネル付近の平面図であり、これらの図を基に説明する。なお、図７、図８において、図６と同一符号は同一物を示すものとする。
【００３１】
クロスダイクロイックプリズム２６０は、投写光学系２７０の近傍において、プロジェクタの光学系を構成する各種光学要素を取り付けるライトガイド２９０に固定されている。また、各液晶パネル２５０，２５２，２５４は、クロスダイクロイックプリズム２６０の各光入射面に取り付けられたスペーサとしても機能する取付板２８０及びネジ２８５を利用してクロスダイクロイックプリズム２６０と隙間を介して一体に固定されている。さらに、液晶パネル２５０，２５２，２５４と各取付板２８０との間には、各液晶パネル２５０，２５２，２５４からの出射光を偏光する偏光板２５１，２５３，２５５が、それら偏光板の両面にも隙間を有するようにして配置されている。これらの偏光板２５１，２５３，２５５は、例えば取付板２８０に取り付けて固定することができる。一方、各液晶パネル２５０，２５２，２５４の光入射面側には、各液晶パネルへの入射光を偏光する偏光板２５６，２５７，２５８が、ライトガイド２９０に取り付けられている。そして、それらの偏光板２５６，２５７，２５８の光入射側に、フィールド２４０，２４２，２４４が、ライトガイド２９０に取り付けられて配置されている。
【００３２】
なお、液晶パネル２５０，２５２，２５４の下部には、図示していない吸気ファンが配置されており、プロジェクタ内部に吸引された空気が、液晶パネル２５０，２５２，２５４、各偏光板２５１，２５３，２５５，２５６，２５７，２５８の周囲を通過して上昇する構造としている。
【００３３】
上記プロジェクタによれば、液晶パネル２５０，２５２，２５４の両面、及び偏光板２５１，２５３，２５５、２５６，２５７，２５８を構成しているガラス基板の両面に当たる冷却空気の強制対流により、それら液晶パネル及び偏光板の放熱性が向上する。また、偏光板２５１，２５３，２５５、２５６，２５７，２５８の熱はそれを構成するフレームを介してライトガイド２９０へも熱伝導される。これにより、プロジェクタ内の放熱性が改善され、プロジェクタ内のファンの個数を減らすこと、ファンの回転数を減らしてファンの音を低減させること、更には画素ピッチや画素ずれを抑制することが可能となり、小型、低騒音、高輝度及び高画質のプロジェクタを得ることができる。
【図面の簡単な説明】
【図１】本発明に係る偏光板（実施例１）の分解構成図。
【図２】図１の偏光板の組付図。
【図３】本発明に係る偏光板（実施例２）の組付図。
【図４】本発明に係る偏光板（実施例３）の組付図。
【図５】本発明に係る偏光板（実施例４）の組付図。
【図６】本発明に係るプロジェクタの実施形態による光学系構成図。
【図７】偏光板の取り付け態様の一例を示す液晶パネル付近の斜視図。
【図８】図７の偏光板の位置関係を示す液晶パネル付近の平面図。
【符号の説明】
１０…偏光板本体、１２…偏光板本体の光通過領域、 １３…穴、２０…枠体、２１…開口、２２…突き当て、２２Ａ…フック、２３…ダボ、３０…枠体、３１…開口、３２…切り欠き、３３…穴、３４…折り曲げ辺、４０…板バネ、４１…開口、４３…穴、５０…ネジ、１００…照明光学系、２１４…色光分離光学系、２４０，２４２，２４４…フィールドレンズ、２５０，２５２，２５４…液晶パネル、２５１，２５３，２５５，２５６，２５７，２５８…偏光板、２６０…クロスダイクロイックプリズム、２７０…投写光学系、３００…投写スクリーン
【図１】
2004198583.tif 000003
【図２】
2004198583.tif 000004
【図３】
2004198583.tif 000005
【図４】
2004198583.tif 000006
【図５】
2004198583.tif 000007
【図６】
2004198583.tif 000008
【図７】
2004198583.tif 000009
【図８】
2004198583.tif 000010